(57)【要約】  無線通信システムにおいて第１の無線ネットワーク要素と第２の無線ネットワーク要素との干渉を低減する方法は、第１の無線ネットワーク要素において、第１の無線ネットワーク要素の上りリンクチャネルに関連付けられた下りリンクチャネルで第２の無線ネットワーク要素から下りリンク信号を受信すること及び第２の無線ネットワーク要素からの下りリンク信号の信号品質レベルを特定することを含む。方法は、測定から、第１の無線ネットワーク要素と第２の無線ネットワーク要素との干渉潜在性を特定すること及び干渉潜在性の特定に応じて、第１の無線ネットワーク要素の上りリンクチャネルに関連付けられたネットワークパラメータを適合させることをさらに含む。
2014515575.tif 000002
【特許請求の範囲】
【請求項１】
第１の無線ネットワーク要素と第２の無線ネットワーク要素との干渉を低減する方法であって、前記第１の無線ネットワーク要素において、
前記第１の無線ネットワーク要素の上りリンクチャネルに関連付けられた下りリンクチャネルで前記第２の無線ネットワーク要素から下りリンク信号を受信すること、
前記第２の無線ネットワーク要素からの前記下りリンク信号の信号品質レベルを特定すること、
前記測定から、前記第１の無線ネットワーク要素と前記第２の無線ネットワーク要素との干渉潜在性を特定すること、及び
前記干渉潜在性の特定に応じて、前記第１の無線ネットワーク要素の前記下りリンクチャネルに関連付けられたネットワークパラメータを適合させること、
を含む、方法。
【請求項２】
前記第２の無線ネットワーク要素からの下りリンク信号の信号品質レベルを特定することは、前記第１の無線ネットワーク要素が使用を計画している第１のチャネルとは異なる第２のチャネルでの前記干渉潜在性を評価することを含む、請求項１に記載の方法。
【請求項３】
前記第２のチャネルでの前記干渉潜在性を評価することは、前記第１のチャネルでの送信動作が前記第２のチャネルに干渉を生じさせるおそれがあるとの判断に応じて実行される、請求項２に記載の方法。
【請求項４】
前記第２の無線ネットワーク要素からの下りリンク信号の信号品質レベルを特定することは、前記下りリンクチャネルで測定して、前記上りリンクチャネルへの経路損失値を特定することをさらに含む、請求項１〜３のいずれか一項に記載の方法。
【請求項５】
前記第２の無線ネットワーク要素からの下りリンク信号の信号品質レベルを特定することは、前記第２の無線ネットワーク要素からの下りリンクパイロット信号又はビーコン信号の信号強度を測定することを含む、請求項１〜４のいずれか一項に記載の方法。
【請求項６】
前記第１の無線ネットワーク要素と前記第２の無線ネットワーク要素との干渉潜在性を特定することは、前記第１の無線ネットワーク要素から前記第２の無線ネットワーク要素への結合損失を計算することを含む、請求項１〜５のいずれか一項に記載の方法。
【請求項７】
前記第１の無線ネットワーク要素と前記第２の無線ネットワーク要素との干渉潜在性を特定することは、前記第１の無線ネットワーク要素からの送信から前記第２の無線ネットワーク要素に提供される干渉パワーを計算することを含む、請求項１〜６のいずれか一項に記載の方法。
【請求項８】
前記第１の無線ネットワーク要素からの送信から前記第２の無線ネットワーク要素に提供される干渉パワーを計算することは、前記第１の無線ネットワーク要素の前記上りリンクチャネルに関連付けられた前記下りリンクチャネルでの前記第２の無線ネットワーク要素からの前記下りリンク信号の前記信号品質レベル測定に相反性を適用することを含む、請求項７に記載の方法。
【請求項９】
前記第１の無線ネットワーク要素のネットワークパラメータを適合させることは、前記測定が干渉閾値を超えるか否かの判断に応じて実行される、請求項１〜８のいずれか一項に記載の方法。
【請求項１０】
前記測定から前記第１の無線ネットワーク要素と前記第２の無線ネットワーク要素との干渉潜在性を特定することは、
前記第１の無線ネットワーク要素の既知の送信パワー、
前記第２の無線ネットワーク要素の既知の又は測定された送信パワー、
前記第１の無線ネットワーク要素の許容干渉閾値レベル
からなる群からの少なくとも１つを利用することをさらに含む、請求項１〜９のいずれか一項に記載の方法。
【請求項１１】
前記干渉潜在性の特定に応じて、前記第１の無線ネットワーク要素のネットワークパラメータを適合させることは、
アラームの生成、
前記第１の無線ネットワーク要素の送信パワーの自動的な低減、
アンテナ傾斜、アンテナ方位角、アンテナ偏波、送信偏波のうちの少なくとも１つ等の前記第１の無線ネットワーク要素のアンテナパラメータの調整
からなる群からの少なくとも１つを含む、請求項１〜１０のいずれか一項に記載の方法。
【請求項１２】
前記第１のネットワーク要素は、前記第２のネットワーク要素とは異なる技術を利用する、請求項１〜１１のいずれか一項に記載の方法。
【請求項１３】
前記第１のネットワーク要素はブロードキャスト下りリンクネットワーク要素であり、前記第２のネットワーク要素は双方向ネットワーク要素である、請求項１〜１２のいずれか一項に記載の方法。
【請求項１４】
無線通信システムにおいて第１の無線ネットワーク要素と第２の無線ネットワーク要素との干渉を低減する実行可能プログラムコードが記憶された非一時的コンピュータプログラム製品であって、前記実行可能プログラムコードは、前記第１の無線ネットワーク要素において実行される場合、
前記第１の無線ネットワーク要素の上りリンクチャネルに関連付けられた下りリンクチャネルで前記第２の無線ネットワーク要素から下りリンク信号を受信し、
前記第２の無線ネットワーク要素からの前記下りリンク信号の信号品質レベルを特定し、
前記特定された信号品質から、前記第１の無線ネットワーク要素と前記第２の無線ネットワーク要素との干渉潜在性を特定し、
前記干渉潜在性の特定に応じて、前記第１の無線ネットワーク要素の前記下りリンクチャネルに関連付けられたネットワークパラメータを適合させる
ように動作可能である、持続性コンピュータプログラム製品。
【請求項１５】
無線通信システムにおいて第１の無線ネットワーク要素と第２の無線ネットワーク要素との干渉を低減する前記第１の無線ネットワーク要素であって、
前記第１の無線ネットワーク要素の上りリンクチャネルに関連付けられた下りリンクチャネルで前記第２の無線ネットワーク要素から下りリンク信号を受信する受信器と、
少なくとも１つの信号プロセッサであって、
前記第２の無線ネットワーク要素からの前記下りリンク信号の信号品質レベルを特定し、
前記特定された信号品質から、前記第１の無線ネットワーク要素と前記第２の無線ネットワーク要素との干渉潜在性を特定し、
前記干渉潜在性の特定に応じて、前記第１の無線ネットワーク要素の前記下りリンクチャネルに関連付けられたネットワークパラメータを適合させる
ように構成される、少なくとも１つの信号プロセッサと、
を含む、第１の無線ネットワーク要素。
【請求項１６】
ブロードキャスト送信器を含む、請求項１５に記載の第１の無線ネットワーク要素。
【請求項１７】
無線通信システムにおいて第１の無線ネットワーク要素と第２の無線ネットワーク要素との干渉を低減する前記第１の無線ネットワーク要素の集積回路であって、
少なくとも１つの信号プロセッサを含み、前記少なくとも１つの信号プロセッサは、
前記第１の無線ネットワーク要素の上りリンクチャネルに関連付けられた下りリンクチャネルで前記第２の無線ネットワーク要素から下りリンク信号を受信し、
前記第２の無線ネットワーク要素からの前記下りリンク信号の信号品質レベルを特定し、
前記特定された信号品質から、前記第１の無線ネットワーク要素と前記第２の無線ネットワーク要素との干渉潜在性を特定し、
前記干渉潜在性の特定に応じて、前記第１の無線ネットワーク要素の前記下りリンクチャネルに関連付けられたネットワークパラメータを適合させる
ように構成される、集積回路。
【発明の詳細な説明】
【技術分野】
【０００１】
発明の分野
本発明の分野は、無線通信システムにおいて干渉を低減する装置及び方法に関する。特に、本発明の分野は、潜在的な干渉を認識し、例えば、第３世代パートナーシッププロジェクト（３ＧＰＰ（商標））ロングタームエボリューション（ＬＴＥ）セルラー通信システムでの潜在的な干渉を低減するようにその通信（ネットワークパラメータ）特性又はリソースを適合する無線ネットワーク要素に関する。
【背景技術】
【０００２】
発明の背景
１９８０年代及び１９９０年代、第２世代（２Ｇ）セルラー通信システムが実施されて、モバイル電話通信を提供した。それ以来、第３世代（３Ｇ）セルラー通信システムが広く設置されて、モバイル電話ユーザに提供し得る通信サービスをさらに強化してきた。最も広く利用されている第３世代通信システムは、符号分割多元接続（ＣＤＭＡ）及び周波数分割二重（ＦＤＤ）又は時分割二重（ＴＤＤ）技術に基づく。
【０００３】
歴史的に見て、モバイル電話及びモバイル無線通信システムのスペクトル割り振りは、ペア型であり、それによりＦＤＤ動作向けであるか、又は非ペア型であり、それによりＴＤＤ動作向けであった。ＦＤＤは、所与の無線加入者通信装置又は基地局における送信器及び受信器が異なる搬送波周波数で動作することを意味する。通常、無線加入者ユニットは、１つの無線サービング通信ユニット、すなわち、１つの通信セルにサービングする基地局に「接続」される。上りリンク（ＵＬ）及び下りリンク（ＤＬ）周波数／サブバンドは、（ペア型の）周波数オフセットにより分離される。ＦＤＤは、音声通信等の対称トラフィックの場合に効率的であり得、結果として、多くの歴史上のスペクトル割り振りはＦＤＤ動作のペア型周波数セットを含む。
【０００４】
ＴＤＤシステムでは、同じ搬送波周波数が上りリンク（ＵＬ）送信、すなわち、無線サービング基地局を介するモバイル無線通信ユニット（無線加入者通信ユニットと呼ばれることが多い）から通信基盤への送信と、下りリンク（ＤＬ）送信、すなわち、サービング基地局を介する通信基盤からモバイル無線通信ユニットへの送信との両方に使用される。ＴＤＤでは、搬送波周波数は、時間領域において、一連のタイムスロット及び／又はフレームに細分される。単一の搬送波周波数が、いくつかの時間スロット中、上りリンク送信に割り当てられ、他のタイムスロット中、下りリンク送信に割り当てられる。ＦＤＤシステムでは、一対の分離した搬送波周波数が、上りリンク送信及び下りリンク送信のそれぞれに使用され、間の干渉を回避する。これらの原理を使用する通信システムの一例は、ユニバーサルモバイル通信システム（ＵＭＴＳ（商標））である。
【０００５】
３Ｇ通信での最近の開発は、３ＧＰＰ（商標）規格に準拠する、第４世代（４Ｇ）システムと呼ばれることもあるロングタームエボリューション（ＬＴＥ）セルラー通信規格である。これらの４Ｇシステムは、ネットワーク運営者所有の既存のスペクトル割り振り及びこれから認可される新しいスペクトル割り振りで展開されることになる。これらのＬＴＥスペクトル割り振りが、第４世代（４Ｇ）システム用にリファーム（refarm）された既存の２Ｇ及び３Ｇを使用するか、それとも既存のモバイル通信用の新しいスペクトル割り振りを使用するかに関わらず、主にＦＤＤ動作用のペア型スペクトルである。
【０００６】
最近、３Ｇ及び４Ｇシステムでの非ペア型スペクトルは、追加のサービス、例えば、ユニバーサルモバイル通信システム（ＵＭＴＳ（商標））内の統合モバイルブロードキャスト（ＩＭＢ）通信及びロングタームエボリューション（ＬＴＥ）規格の一環としてのエンハンスト・マルチキャストブロードキャストマルチメディアサービス（ｅＭＢＭＳ）等の下りリンクのみブロードキャストのような技術の標的とされてきた。ブロードキャスト通信の人気が末長く続くことが考えられる。したがって、ペア型及び非ペア型スペクトルのより多くの組み合わせが、ＬＴＥ等の４Ｇシステムに認可されることになる。これらの割り振りでは、厄介なことに非ペア型スペクトルがペア型スペクトルに近い場合が多く、それにより、非ペア型スペクトルでのブロードキャストサイトからの下りリンク通信と、ペア型スペクトルでの隣接する上りリンク通信との干渉の潜在性がある。
【０００７】
これより図１を参照して、上記潜在的な干渉（「共存」と呼ばれることもある）の問題を絵で表した例１００を、送信パワー又は減衰１０５と周波数１１０との関係に関して示す。下りリンク（ＤＬ）（すなわち、無線加入者通信ユニットに送信している基地局）干渉送信スペクトル１１５が、上りリンク（ＵＬ）（すなわち、基地局に送信している無線加入者通信ユニット）受信帯１２０に隣接するものとして示される。ＤＬ帯域外隣接チャネル送信を、送信フィルタにより許容可能な低パワーレベルまでフィルタリング１１５することができる。さらに、帯域内隣接チャネル送信が、被害側受信器１２５により許容可能なレベルまでフィルタリングされない場合、受信器に生じる干渉が低減するように、干渉側送信器帯域内パワーを調整（低減）１３０し得ること、すなわち、被害側受信器フィルタを通過する望ましくない信号が低減するように送信帯域内信号パワーを低減し得ることが分かっている。
【０００８】
したがって、図１は、潜在的な干渉に２つの側面があることを示す。第１の側面、すなわち、干渉側の潜在的に隣接するチャネルは、フィルタリングを通して干渉側で制御し得る。潜在的な干渉の第２の側面は、被害側の受信器をブロックする干渉側の帯域内パワーに伴う。潜在的な干渉のこの第２の側面は、被害側でのフィルタリングの改良によってしか制御することができず、これは通常、異なるネットワーク運営者の機器の調整を必要とする可能性が高いため、実現可能ではない。したがって、より許容可能で柔軟な解決策が望まれる。
【０００９】
従来、ペア型及び非ペア型スペクトルの両方で展開される双方向通信システムの場合、システム設計者がコスト増大及び／又は性能の影響で妥協する必要があるため、そのような共存問題の解決は難しかった。この問題は主に、ブロードキャスト基地局（３Ｇ及び４Ｇの専門用語ではノードＢと呼ばれる）の送信器が双方向（双方向）ノードＢの送信器と略同じ場所に配置され得る場合又はブロードキャストノードＢの送信器及び双方向（双方向）ノードＢの送信器が、それぞれのアンテナが互いを向き得る建物等の隣接する場所に配置される場合に主に存在する。ＳＦＮ（単一周波数ネットワーク）を使用するブロードキャストシステムは、同じブロードキャスト内容がすべてのセルサイトから同時に送信され、ネットワーク運営者の唯一の目標が、通信セルのカバレッジエリアをパワーで満たすことであるため、どのように展開されるかにおいて大きな柔軟性を提供する。これは、ブロードキャストシステムを、二次状態を有するものとして見なすことができ、したがって、いわゆる一次双方向通信システムへの干渉がないことを保証するように容易に調整可能であることを意味する。
【００１０】
したがって、現在の技法は最適未満である。したがって、最近のセルラーネットワーク開発から利用可能な増大した設計及び特徴柔軟性からの恩恵を受け得る、潜在的な干渉問題に対処する改良されたメカニズムが望まれる。
【発明の概要】
【００１１】
発明の概要
したがって、本発明は、上記欠点のうちの１つ又は複数を単独で、又は任意の組み合わせで軽減し、緩和し、又はなくそうとする。
【００１２】
本発明の態様によれば、添付の特許請求の範囲において詳述されるように、干渉を低減する無線ネットワーク要素、集積回路、方法、及び本明細書に記載される概念を実施するように適合又は構成されたコンピュータプログラム製品が提供される。
【００１３】
本発明のこれら及び他の態様、特徴、及び利点は、後述する実施形態例から明白になり、後述する実施形態例を参照して明らかになるだろう。
【００１４】
図面の簡単な説明
本発明の実施形態は、添付図面を参照して単なる例として説明される。
【図面の簡単な説明】
【００１５】
【図１】既知の隣接チャネル干渉問題を示す。
【図２】本発明のいくつかの実施形態例により適合される３ＧＰＰ（商標）ＬＴＥセルラー通信システムを示す。
【図３】本発明のいくつかの実施形態例により適合される、ｅノードＢ基地局等の無線ネットワーク要素の簡易化された例を示す。
【図４】本発明のいくつかの実施形態例により適合される、ｅノードＢ基地局等の無線ネットワーク要素のより詳細な例を示す。
【図５】本発明のいくつかの実施形態例によるＨＤ  ＦＤＤ及びＨＤ  ＴＤＤフレーミング／タイミング構造を示す。
【図６】本発明のいくつかの実施形態例による干渉側から被害側通信への干渉を低減するフローチャートの一例を示す。
【図７】本発明の実施形態において信号処理機能を実施するために利用し得る典型的な計算システムの単純な例を示す。
【発明を実施するための形態】
【００１６】
発明の実施形態の詳細な説明
以下の説明は、ＵＭＴＳ（商標）（ユニバーサルモバイル通信システム）セルラー通信システム、特に、第３世代パートナーシッププロジェクト（３ＧＰＰ（商標））システム内の任意のペア型又は非ペア型スペクトルで動作するＵＭＴＳ（商標）地上無線アクセスネットワーク（ＵＴＲＡＮ）に適用可能な本発明の実施形態に焦点を合わせる。さらに、以下の説明は、例えば、ＳＦＮ技法を利用する場合、３Ｇ又は４Ｇシステムにおいてブロードキャスト送信をサポートするために適用可能な本発明の実施形態に焦点を合わせる。しかし、本発明がこの特定のセルラー通信システムに限定されず、潜在的に隣接するチャネル又はセル間干渉を受けるおそれがある任意の無線通信システムに適用し得ることが理解されるだろう。しかし、他の例では、本発明の概念は、例えば、非同期システムにおいて、又はフレーム内で非調整切り替え点（ＵＬ／ＤＬ）を使用する場合、且つ／又は周波数搬送波間で共同スケジューリングを実行する場合、隣接チャネルＴＤＤシステムに適用し得る。
【００１７】
潜在的な干渉の上記第２の側面、例えば、被害側受信器をブロックする干渉側の帯域内パワーに対処又は軽減するために、干渉側の帯域内パワーを調整し得る。本発明の実施形態例は、異なるシステムの少なくとも２つの無線ネットワーク要素間の潜在的な干渉に基づいて、ネットワークパラメータ又は動作特徴の任意の調整を実行するか否かを判断することを提案する。この判断は、２つの無線ネットワーク要素間の結合損失を測定することにより、例えば、ブロードキャスト送信器から双方向システムの受信器への経路損失を特定し、それにより、干渉が生じる可能性が高いか否かを判断することにより実行し得る。干渉が生じる可能性が高いとの判断に応答して、どの程度の干渉が生じ得るかの判断を実行し得、それにより、干渉を回避、軽減、又は最小化する適切な措置をとることができる。さらに、本発明の実施形態例は、測定を実行し、潜在的な干渉を低減するために行う適切な調整を決定可能な方法及び装置を提案する。
【００１８】
したがって、本発明の実施形態例は、干渉の危険がある上りリンクチャネルに関連付けられた隣接する被害側システムの下りリンクチャネルでのパワー測定を通して、結合損失を測定し、場合によっては、相反定理をそのような特定に適用することにより、干渉潜在性を評価可能なことを認識した。
【００１９】
双方向受信器へのブロードキャスト送信器のＲＦ漏れを制限するために、送信パワー、アンテナ方位角、アンテナ傾斜、アンテナ偏波、送信偏波のうちの少なくとも１つ等の各ネットワークパラメータのいくつかの調整が可能である。これらの調整を使用して、干渉側ブロードキャスト送信器と、上りリンク受信器を含む被害側双方向基地局との結合損失を増大させることができる。そのような調整は通常、二次サービスであり、同じ内容が特定のサービスエリア内のすべてのブロードキャストセルサイトから送信されるため、ブロードキャストシステムで行われる。したがって、そのような調整は、あるサイトの電波到達範囲の低減又は調整を、隣接サイトの電波到達範囲により補償できるようにし得る。
【００２０】
これより図２を参照して、本発明の一実施形態例による無線通信システム２００を概略的に示す。この実施形態例では、無線通信システム２００は、ユニバーサルモバイル通信システム（ＵＭＴＳ（商標））エアインタフェースに準拠し、ＵＭＴＳ（商標）エアインタフェースを介して動作可能なネットワーク要素を含む。特に、実施形態は、現在、ロングタームエボリューション（ＬＴＥ）の第３世代パートナーシッププロジェクト（３ＧＰＰ（商標））仕様書において議論中であり、仕様書の３ＧＰＰ  ＴＳ３６．ｘｘｘシリーズに記載されている進化ＵＴＲＡＮ（Ｅ−ＵＴＲＡＮ）無線通信システムのシステムアーキテクチャに関する。
【００２１】
アーキテクチャは、無線アクセスネットワーク（ＲＡＮ）及びコアネットワーク（ＣＮ）要素からなり、コアネットワーク２０４は、インターネット又は企業ネットワーク等のパケットデータネットワーク（ＰＤＮ）という名称の外部ネットワーク２０２に結合される。ＣＮ２０４は３つの主要構成要素：サービングＧＷ２０６、ＰＤＮ  ＧＷ（ＰＧＷ）２０５、及び第１のモビリティ管理エンティティ（ＭＭＥ）２０８を有する。サービングＧＷ２０６はＵプレーン（ユーザプレーン）通信を制御する。ＰＤＮ−ＧＷ２０５は、適切な外部ネットワーク（例えば、ＰＤＮ）へのアクセスを制御する。第１のＭＭＥ２０８はｃプレーン（制御プレーン）を制御し、ユーザモビリティ、アイドルモードＵＥのページング開始、ベアラ確立、及びデフォルトベアラのＱｏＳサポートがＭＭＥ２０８により処理される。
【００２２】
ＲＡＮの主要構成要素はｅノードＢ（evolved NodeB）であり、ｅノードＢは、Ｓ１インタフェースを介してＣＮ２０４に接続されるとともに、Ｕｕインタフェースを介してＵＥ２２５に接続される。無線通信システムは通常、多数のそのような基板要素を有し、例えば、明確にするために、限られた数のみを図２に示す。ｅノードＢ２１０、２２０は、複数の無線加入者通信ユニット／端末（又はＵＭＴＳ（商標）での用語ではユーザ機器（ＵＥ）２２５）の無線リソース関連機能を制御し、且つ管理する。
【００２３】
図２のアーキテクチャ例では、第１のｅノードＢ２１０は、データをブロードキャストカバレッジエリア内のＵＥ２２５にブロードキャストするように構成され、第２のｅノードＢ２２０は、双方向カバレッジエリア内のＵＥ２２６との双方向通信を実行するように構成される。示されるように、ブロードキャストカバレッジエリア及び双方向カバレッジエリアは重複する。他の実施形態例では、カバレッジエリアは、より小さな若しくはより大きな程度で重複し得、又は一方のカバレッジエリアが完全に他方のカバレッジエリア内に存在し得る。他の実施形態例では、第１及び第２のｅノードＢは略同じ場所に配置され得、したがって、場合によっては、同じ又は同様の有効カバレッジエリア／範囲をサポートし得る。
【００２４】
標準双方向通信をサポートする第１のシナリオ例では、一連のｅノードＢ２１０、２２０は通常、媒体アクセス制御（ＭＡＣ）等の機能を実行し、送信に向けてデータブロックをフォーマットし、ブロックをＵＥ２２５、２２６に物理的に送信して、ネットワークの下層処理を実行する。これらの機能に加えて、ｅノードＢ２１０、２２０は、個々のＵＥ２２５が使用するために、リソースを上りリンク（ＵＬ）及び／又は下りリンク（ＤＬ）タイムスロットの一方又は両方に割り振ることにより、ＵＥ２２５、２２６からのリソース需要に応答する。ＵＥ２２５、２２６のそれぞれは、信号処理ロジック２２９に動作可能に結合された送受信器ユニット２２７を備え（１つのＵＥが、明確にするためだけに、そのように詳細に示される）、各位置エリアでの通信をサポートするｅノードＢ２１０と通信する。
【００２５】
例えば、一連のｅノードＢ２１０、２２０のうちの１つ又は複数がブロードキャストに使用され、リソースのすべてがこの動作モード専用である、ブロードキャスト（ＭＢＭＳ／ｅＭＢＭＳ）通信をサポートする第２のシナリオ例では、「リソースの割り振り」はなく、ＵＬ通信経路がない。３ＧＰＰ（商標）、ＵＭＴＳ（商標）、及びＬＴＥでは、帯域内及び専用ブロードキャストが可能であり、帯域内通信はブロードキャスト及び双方向を同じ無線周波数搬送波で混合する。ここで、ＣＮ２０４はブロードキャスト媒体サービスセンター（ＢＭ−ＳＣ）２５４を含み、このＢＭ−ＳＣ２５４は、一例では、コンテンツプロバイダ２５６からブロードキャストコンテンツを受信するために、コンテンツプロバイダ２５６に結合される。ＣＮ２０４は、この例では、エボルドマルチキャストブロードキャストマルチメディアサーバ（ＭＢＭＳ）ゲートウェイ（ＧＷ）２５０も含み、このゲートウェイ２５０は、ＢＭ−ＳＣ２５４は、−ＳＣ２５４に結合されるとともに、Ｓｍインタフェースを介して第２のモビリティ管理エンティティ（ＭＭＥ）２５８に結合される。第２のＭＭＥ２５８は、ＭＢＭＳベアラのセッション制御を管理し、加入者通信ユニット（ＵＥ）関連情報を記憶する家庭加入者サービス（ＨＳＳ）データベース２３０に動作可能に結合される。ＭＢＭＳゲートウェイ２５０は、モビリティアンカーポイントとして機能し、ｅノードＢへのＭＢＭＳユーザプレーンデータのＩＰマルチキャスト配信を提供する。ＭＢＭＳゲートウェイ２５０は、１つ又は複数のコンテンツプロバイダ２５６からブロードキャストマルチキャストサービスセンター（ＢＭ−ＳＣ）２５４を介してＭＢＭＳコンテンツを受信する。制御プレーン（ＣＰ）データの場合、ＭＢＭＳ調整エンティティ（ＭＣＥ）２５２が、ＭＭＥ２５８とｅノードＢ２１０、２２０との間にあるＥ−ＵＴＲＡＮに存在する。ＭＣＥ２５２は、レイヤー２構成及びブロードキャスト送信への無線リソースの使用を管理する。したがって、ＭＣＥ２５２は、ＲＡＮ領域要素であり、別個のエンティティ（示されるように）であってもよく、又はｅノードＢ２１０、２２０に配置されてもよい。ユーザプレーン（ＵＰ）データの場合、ＢＭ−ＳＣ２５４は、Ｍ１インタフェースを介してｅノードＢ２１０、２２０に直接結合される。
【００２６】
しかし、この第２のブロードキャストシナリオ例に伴う問題は、帯域内通信がブロードキャスト及び双方向を同じ無線周波数搬送波で混合する場合、干渉を最小化するためのパワー調整がｅノードＢの機能の双方向部分に悪影響を及ぼすおそれがあるため、干渉を最小化するために、パワー等を自由に調整することが不可能なことである。
【００２７】
システムは通常、明確にするために示されない多くの他のＵＥ２２５、２２６及びｅノードＢ２１０、２２０を含む。
【００２８】
上述したように、一実施形態例では、第１のｅノードＢ２１０は、カバレッジ範囲内のＵＥ２２５へのＬＴＥシステムのマルチキャストブロードキャストマルチメディアサービス（ＭＢＭＳ）又はエボルドＭＢＭＳ（ｅＭＢＭＳ）をサポートするブロードキャスト送信器として構成される。第１の（ブロードキャスト）ｅノードＢ２１０は、１つ又は複数の信号プロセッサモジュール２９２に動作可能に結合される１つ又は複数の無線送受信器ユニット２９４を含む。第１の（ブロードキャスト）無線ネットワーク要素（ｅノードＢ２１０）の１つ又は複数の無線送受信器ユニット２９４は、第２の無線ネットワーク要素の上りリンクチャネルに関連付けられた下りリンクチャネルで、第２の無線ネットワーク要素から下りリンク信号を受信するように構成される。第１の（ブロードキャスト）無線ネットワーク要素（ｅノードＢ２１０）は、第２の（双方向）無線ネットワーク要素から受信された下りリンク信号の信号品質レベルを特定するように構成されたロジック２９３を含む。いくつかの例では、受信した下りリンク信号の信号品質レベルの特定は、受信した下りリンク信号の測定されるパラメータに基づき得る。いくつかの例では、ロジック２９３は、１つ又は複数の信号プロセッサモジュール２９２内に存在してもよく、又は信号プロセッサモジュール２９２に動作可能に結合してもよい。ロジック２９３は、受信した下りリンク信号の信号品質レベルの特定から、第１の無線ネットワーク要素（ｅノードＢ２１０）と第２の無線ネットワーク要素（ｅノードＢ２２０）との干渉潜在性を特定するようにも構成される。それに応答して、第１の（ブロードキャスト）無線ネットワーク要素（ｅノードＢ２１０）は、干渉潜在性の特定に応答して、第１の無線ネットワーク要素のネットワークパラメータを適合させるように構成された適合ロジック２９１を含む。
【００２９】
第２のｅノードＢ２２０は、カバレッジ範囲内のＵＥ２２６への双方向（例えば、音声及び又はデータ）通信をサポートする双方向送受信器として動作する。第２のｅノードＢ２２０は、１つ又は複数の信号プロセッサモジュール２９６に動作可能に結合される１つ又は複数の無線送受信器ユニット２９７も含み、ＵＭＴＳ（商標）において定義されるように、Ｉｕｂインタフェースを介してセルベースシステム基盤の残りの部分と通信もする。
【００３０】
いくつかの実施形態例では、１つ又は複数の無線送受信器ユニット２９４内の簡易受信器を、１つ又は複数のアンテナポートに結合された第１のｅノードＢ２１０（例えば、ブロードキャスト送信器）に提供し得る。簡易受信器は、干渉がブロードキャスト伝送に潜在的に影響し得る第２のｅノードＢ２２０によりサポートされる隣接サイトでの上りリンクチャネルに関連付けられた１つ又は複数の下りリンクチャネルに調整され得る（又は調整可能であり得る）。一実施形態例では、簡易受信器は、信号品質特定ロジック２９３に動作可能に結合し得る。一例では、信号品質特定ロジック２９３は、この隣接サイトからの受信パワーを測定する能力を有する。このようにして、信号品質特定ロジック２９３は、例えば、ブロードキャスト送信器により使用されるアンテナアレイの１つ又は複数のネットワークパラメータ（送信パワー、アンテナ方位角、アンテナ傾斜、アンテナ偏波、送信偏波等のうちの少なくとも１つ等）の調整前後の経路損失測定変化に関する影響を特定するように構成し得る。
【００３１】
いくつかの実施形態例では、信号品質特定ロジック２９３により実行される特定を、この技術の典型的な最小パワー又は既知の送信パワー（ビーコン等）と併せて使用して、ブロードキャストシステムのアンテナポートと双方向システムのアンテナポートとの最小結合損失を計算し得る。このようにして、双方向ｅノードＢ送信器からの伝播損失は、ｅノードＢ（ブロードキャスト送信器）内に配置された簡易受信器において測定され、２つのサイト間の「結合損失」を特定し得る。次に、第１のｅノードＢ２１０内の信号処理モジュール２９２が、相反定理を適用し、それにより、同じ結合損失（伝播損失）が逆方向に存在すると想定し得る。したがって、本発明の実施形態例は、経験的知識に基づく信頼の置けるブロードキャスト送信器を提案する。
【００３２】
いくつかの実施形態例では、第１のｅノードＢ２１０内の信号処理モジュール２９２は、結合損失測定を、特定された潜在的な干渉問題の知識（ブロードキャスト送信器パワー、被害側機器のブロック性能等のうちの１つ又は複数のネットワーク特徴又はパラメータに関する情報等）と併せて利用して、干渉が生じる可能性が高いか（否か）を判断し得る。干渉が生じる可能性が高い場合、又は実際に生じ得る場合、信号処理モジュール２９２は、是正措置が潜在的干渉問題の解決又は軽減を支援し得ると判断し得る。したがって、そのようなシナリオでは、適合ロジック２９１（いくつかの実施形態例では、信号処理モジュール２９２の一部を形成し得る）は、アンテナ傾斜又は方向等の他の手段によりブロードキャスト送信パワーの低減及び／又は結合損失の増大を開始し得る。
【００３３】
いくつかの実施形態例では、第１のｅノードＢ２１０の測定及び監視をシステム配備で実行し得、いくつかの場合、進行ベースで繰り返して、サイト間干渉に影響し得る新しいサイト若しくはアンテナが配備されたか（否か）又は新しい周波数チャネルがアクティブ化されたか（否か）等を判断し得る。いくつかの実施形態例では、そのようなシステム配備又は進行中の測定は、ブロードキャストシステム要素マネージャ（ＥＭ）に提示し得、結合損失測定が構成可能な閾値未満になった場合、１つ又は複数のアラームを生成し得る。そのようなアラームに応答して、例えば、アラーム通知に応答して、１つ又は複数のネットワークパラメータの自動又は手動調整を行い得る。このようにして、信号処理モジュール２９６は、自動的に送信パワーを低減するか、又はブロードキャスト送信器を完全にシャットダウンするように構成し得る。
【００３４】
これより図３を参照して、本発明のいくつかの実施形態例により適合される、第１の（ブロードキャスト）ｅノードＢ２１０等の無線通信ユニットのブロック図を示す。第１のｅノードＢ２１０は、第１のｅノードＢ２１０内の受信チェーンと送信チェーンとの分離を提供する方向性結合器、デュプレクサ、又はアンテナスイッチ３０４（サポートされる通信の性質に応じて）に結合されたアンテナ、アンテナアレイ３０２、又は複数のアンテナを含む。１つ又は複数の受信器チェーンは、当分野で既知のように、受信器フロントエンド回路３１０（受信、ＲＦフィルタリング３０６、及び中間又はベースバンド周波数変換３０４を効率的に提供する）を含む。いくつかの例では、受信器フロントエンド回路３１０は、図２の一実施形態例において説明した簡易受信器を含み得る。受信器フロントエンド回路３１０は１つ又は複数の信号処理モジュール２９２に結合される。１つ又は複数の受信器チェーンは、複数の時間フレーム内でデータパケットストリームを受信するように動作可能に構成される。いくつかの実施形態例によれば、受信器チェーンの少なくとも１つの受信器フロントエンド回路３０６は、隣接サイトの下りリンク周波数に調整されるか、又は調整可能である。この例では１つ又は複数の信号処理モジュール２９２の一部として示される信号品質特定ロジック２９３は、受信器が隣接ユニキャスト送信器からパケットを受信し復号化することができない場合、隣接双方向送信器から受信する信号の信号品質及び／又は隣接双方向送信器から受信される信号の純粋な信号パワー測定を特定するように構成される。
【００３５】
コントローラ３１４は、第１のｅノードＢ２１０の全体動作制御を維持する。コントローラ３１４は、受信器フロントエンド回路３１０及び１つ又は複数の信号処理モジュール２９６（一般に１つ又は複数のデジタル信号プロセッサ（ＤＳＰ）により実現される）にも結合される。コントローラ３１４は、１つ又は複数のメモリ装置／要素３１６にも結合され、メモリ装置／要素３１６は、復号化／符号化機能、同期パターン、符号シーケンス等の動作体制を選択的に記憶する。タイマ３１８がコントローラ３１４に動作可能に結合され、第１のｅノードＢ２１０内の動作（時間依存信号の送信又は受信）のタイミングを制御する。
【００３６】
送信チェーンに関して、これは送信器／変調回路３２２と、アンテナ又はアンテナアレイ３０２に動作可能に結合されたパワー増幅器２３４と、を含む。送信チェーンは、データパケットストリームを複数のユーザ／ＵＥ（図示せず）に送信／ブロードキャストするように動作可能に構成される。送信器／変調回路３２２及びパワー増幅器３２４は、コントローラ３１４（及び又は１つ若しくは複数の信号処理モジュール２９６）に動作的に応答する。方向性結合器３４４が、パワー増幅器３２４の出力に配置され、ブロードキャスト送信信号の一部をとり、その部分をフィードバック回路３３０に提供する。一例では、フィードバック回路は、ブロードキャスト送信信号の部分を処理し、且つ／又は送信器／変調回路３２２及び／又はパワー増幅器３２４中の１つ若しくは複数の増幅器のような送信チェーンのパラメータを制御して、ブロードキャスト送信の送信パワーに影響するように構成し得る。一例では、フィードバック回路は、ブロードキャスト送信信号の部分を単独で迂回し、処理せず、且つ／又は送信器／変調回路３２２内の１つ若しくは複数の増幅器及び／又はパワー増幅器３２４等の送信チェーンのパラメータを制御して、ブロードキャスト送信の送信パワーに影響し得る。
【００３７】
送信チェーン内の１つ又は複数の信号プロセッサモジュール２９２は、受信チェーン内の１つ又は複数の信号プロセッサモジュール２９２とは別個のものとして実施し得る。あるいは、単一のプロセッサを使用して、図３に示されるように、送信信号及び受信信号の両方の処理を実施し得る。明らかに、無線通信ユニット（例えば、第１のｅノードＢ２１０）内の様々な構成要素は、離散又は集積された構成要素形態で実現することができ、したがって、最終的な構造は用途固有又は設計選択である。
【００３８】
本発明の実施形態例によれば、１つ又は複数の信号プロセッサモジュール２９２は、第１のｅノードＢ２１０と１つ又は複数の第２のｅノードＢとの通信に伴いＵＬチャネル又はＤＬチャネルに干渉の可能性があるか否かを特定する信号品質特定ロジック２９３を含むように適合される。一例では、信号品質特定ロジック２９３は、フィードバック回路３３０内に配置し得る。一例では、信号品質特定ロジック２９３は、ネットワークパラメータに関して第１のｅノードＢと第２のｅノードＢとの間に安全な物理的距離が存在するか否かを判断し得、ここで、「安全」という言葉は、送信パワー、受信ブロック性能、アンテナ方位角、アンテナ傾斜、アンテナ偏波、送信偏波等のうちの少なくとも１つ等の許容可能な１つ又は複数のネットワークパラメータを含む。ブロードキャストシステムでは、アンテナダイバーシチは必要とされないため、アンテナ偏波又は送信偏波を適合し得る。一例では、そのようなネットワークパラメータは、１つ又は複数の閾値を含み得、それにより、信号品質特定ロジック２９３は、１つ、複数、又はすべてのネットワークパラメータが各閾値の上又は下の適したレベルにある場合、２つのｅノードＢが干渉を生じさせずに同時に共存することに関して、通信が安全であると考え得ると判断する。
【００３９】
これより図４を参照して、第１のｅノードＢ２１０等の無線通信ユニットの一例のより詳細なブロック図を示す。第１のｅノードＢ２１０は、第１のｅノードＢ２１０内の受信チェーンと送信チェーンとの分離を提供するアンテナスイッチ３０４に結合されたアンテナ、アンテナアレイ３０２、又は複数のアンテナを含む。アンテナスイッチ３０４は、受信／感知信号経路４０８を介して受信器ＲＦフィルタ３０６に動作可能に結合される。受信器ＲＦフィルタ３０６は、干渉の危険がある上りリンクチャネルに関連付けられた隣接サイトの下りリンク周波数に調整されるか、又は調整可能である。このようにして、受信器ＲＦフィルタ３０６は、隣接サイトの送信信号を抽出し、あらゆる他の受信信号を主にフィルタリングして除去するように調整されるか、又は調整可能である。信号品質特定ロジック２９２は、隣接双方向送信器から受信される信号の信号品質を特定するように構成され、この例では、受信信号強度表示（ＲＳＳＩ）を提供するように構成された信号パワー測定ロジック２９３を含む。一例では、信号品質特定ロジック２９２は、隣接システム下りリンク送信パワーの知識に基づいて、第１のｅノードＢ２１０と第２のｅノードＢ２２０との結合損失を計算する。
【００４０】
一例では、信号品質特定ロジック２９３は、信号パワー測定を閾値と比較し、ブロードキャスト送信パワー及び干渉に対する隣接システムの既知の脆弱性に基づいて、干渉が生じる可能性があるか／可能であるか（否か）を判断し得る。信号品質特定ロジック２９３は、信号パワー表示を要素マネージャ及び／又は制御ロジック４０２に提供する。一例では、要素マネージャ及び／又は制御ロジック４０２は、特定された情報を、例えば、ディスプレイ（図示せず）に提示するように構成し得る。代替又は追加として、要素マネージャ及び／又は制御ロジック４０２は、情報をアラームモジュール（図示せず）に提供して、例えば、特定の閾値レベルを交差する受信信号パワー（又は同様の品質レベル）に関連付けられたアラームを生成するように構成し得る。
【００４１】
一例では、要素マネージャ及び／又は制御ロジック４０２は信号振幅制御ロジック４０４に動作可能に結合され、信号振幅制御ロジック４０４は、パワー増幅ラインアップ３２４の制御を通してなど、デジタル信号生成ロジック３２２内又は送信器の増幅器チェーン内のブロードキャスト送信信号の信号レベルを設定するように構成し得る。送信ＲＦフィルタ４０６は実質的に、望ましくないあらゆる送信信号をフィルタリングして除去してから、アンテナスイッチ３０４を介してブロードキャスト信号をアンテナ３０２（又はアンテナアレイ）にルーティングする。
【００４２】
一例では、集積回路は、第１の（ブロードキャスト）無線ネットワーク要素用に、第１の（ブロードキャスト）無線ネットワーク要素の上りリンクチャネルに関連付けられた下りリンクチャネルで第２の（例えば、隣接する双方向）無線ネットワーク要素からの下りリンク信号を受信する（例えば、感知信号経路４０８を介して）ように構成された少なくとも１つの信号プロセッサを含み得る。少なくとも１つの信号プロセッサは、そこから、第２の無線ネットワーク要素からの下りリンク信号の信号品質レベルを特定するように構成し得るか、又はそのような特定を行う信号品質特定ロジック若しくはパワー測定ロジック等のロジックを含み得る。少なくとも１つの信号プロセッサは、信号品質特定から、第１の無線ネットワーク要素と第２の無線ネットワーク要素との干渉潜在性を特定し、干渉潜在性の特定に応答して、第１の無線ネットワーク要素のネットワークパラメータを適合させるように構成し得るか、又はそのような動作を行うロジックを含み得る。
【００４３】
これより図５を参照して、経路損失推定手法を使用するＦＤＤ被害側ＵＬでの干渉潜在性の絵表現５００及び経路損失推定のためのＴＤＤ被害側ＵＬでの干渉潜在性の絵表現５５０を示す。絵表現は、送信がある場合のパワー５０５と周波数５４５との関係を示すが、ＵＬ受信動作の場合には減衰（パワーとは対照的に）として見なし得る。ＦＤＤ被害側の絵表現は、被害側ＵＬノードＢ受信器５４０に（潜在的な）干渉５２０を生じさせる送信干渉信号５１５を示す。ＴＤＤ被害側の絵表現は、被害側ＵＬ及びＤＬノードＢ送受信器５６０に干渉（潜在的）５５５を生じさせる送信干渉信号５７０を示す。
【００４４】
これより図６を参照すると、フローチャート６００は、例えば、第１の無線通信システム内で動作する第１の無線ネットワーク要素と、例えば、第２の無線通信システム内で動作する第２の無線ネットワーク要素との干渉を低減する方法の一例を示す。フローチャート６００は、第１の無線ネットワーク要素（例えば、ブロードキャストｅノードＢ）において開始し、第１の無線ネットワーク要素が、６０５に示されるように、例えば、隣接（双方向）ｅノードＢのパイロット又はビーコン信号の受信信号強度を測定することにより、隣接ネットワーク要素からの送信の受信信号強度（又は同様の信号品質表示）の測定を実行する。いくつかの例では、ビットエラーレート、ブロックエラーレート、フレームエラーレート、搬送波対干渉信号、搬送波対干渉プラス雑音信号の測定等の隣接（双方向）ｅノードＢからの送信の他の測定を実行し得る。他の例では、非常に高度な受信器を、システム情報を読み取り、ビーコン信号の元の送信パワーを特定可能なように構成し得る。さらに他の例では、結合損失又は経路損失の計算を支援するために、１つ又は複数の関連するパラメータ又は値の手動入力を行い得る。
【００４５】
次に、第１の無線ネットワーク要素の信号処理モジュールは、６１０に示されるように、隣接（双方向）ｅノードＢへの信号パワーの結合損失を計算し得る。そのような計算を実行するために、信号処理モジュールは、６２５に示されるように、入力として隣接システムの送信パワーの表示を受信する。
【００４６】
次に、第１の無線ネットワーク要素の信号処理モジュールは、６１５に示されるように、第１の無線ネットワーク要素からの送信により隣接システムに生じる干渉パワーを計算し得る。そのような計算を実行するために、信号処理モジュールは、６３０に示されるように、入力として自身の送信パワーの表示を受信する。次に、６２０に示されるように、計算された干渉レベルが閾値レベルを超えるか否かを判断する。そのような判断を実行するために、信号処理モジュールは、６３５に示されるように、入力として、隣接システムの干渉の許容レベルの表示を受信する。
【００４７】
６２０における判断が、計算された干渉レベルが閾値レベルを超えるというものである場合、第１の無線ネットワーク要素は、６４０に示されるように、自身の送信パワーレベルを自動的に低減するか、又は要素マネージャ（ＥＭ）アラームを生成する。次に、フローチャートは、６０５における信号強度測定にループバックする。６２０における判断が、計算された干渉レベルが閾値レベルを超えないというものである場合、フローチャートは、６０５における信号強度測定にループバックする。
【００４８】
これより図７を参照して、本発明の実施形態において、ソフトウェアにより制御される干渉低減機能を実施するために利用し得る典型的な計算システム７００を示す。この種の計算システムは、第１又は第２の無線ネットワーク要素等の無線通信ユニットで使用し得る。他のコンピュータシステム又はアーキテクチャを使用して本発明を実施する方法も当業者は認識するだろう。計算システム７００は、例えば、デスクトップ、ラップトップ、又はノート型コンピュータ、ハンドヘルド計算装置（ＰＤＡ、携帯電話、パームトップ等）、メインフレーム、サーバ、クライアント、又は所与の用途若しくは環境に望ましいか、若しくは適切な任意の他の種類の特定用途若しくは汎用計算装置を表し得る。計算システム７００は、プロセッサ７０４等の１つ又は複数のプロセッサを含むことができる。プロセッサ７０４は、例えば、マイクロプロセッサ、マイクロコントローラ、又は他の制御ロジック等の汎用若しくは特定用途向け処理エンジンを使用して実施することができる。この例では、プロセッサ７０４は、バス７０２又は他の通信媒体に接続される。
【００４９】
計算システム７００は、情報及びプロセッサ７０４により実行すべき命令を記憶する、ランダムアクセスメモリ（ＲＡＭ）又は他のダイナミックメモリ等のメインメモリ７０８を含むこともできる。メインメモリ７０８は、プロセッサ７０４により実行すべき命令の実行中、一時変数又は他の中間情報を記憶するために使用することもできる。計算システム７００は同様に、プロセッサ７０４の静的情報及び命令を記憶する、バス７０２に結合された読み取り専用メモリ（ＲＯＭ）又は他のスタティック記憶装置を含み得る。
【００５０】
計算システム７００は、例えば、媒体ドライブ７１２及びリムーバブルストレージインタフェース７２０を含み得る情報記憶システム７１０を含むこともできる。媒体ドライブ７１２は、ハードディスクドライブ、フロッピー（登録商標）ディスクドライブ、磁気テープドライブ、光ディスクドライブ、コンパクトディスク（ＣＤ）若しくはデジタルビデオドライブ（ＤＶＤ）の読み取り若しくは書き込みドライブ（Ｒ若しくはＲＷ）、又は他のリムーバブル若しくは固定の媒体ドライブ等の、固定又はリムーバブルの記憶媒体をサポートするドライブ又は他の機構を含み得る。記憶媒体７１８は、例えば、ハードディスク、フロッピーディスク、磁気テープ、光ディスク、ＣＤ若しくはＤＶＤ、又は媒体ドライブ７１２により読み取られ媒体ドライブ７１２に書き込まれる他の固定若しくはリムーバブルの媒体を含み得る。これらの例が示すように、記憶媒体７１８は、特定のコンピュータソフトウェア又はデータが記憶されたコンピュータ可読記憶媒体を含み得る。
【００５１】
代替の実施形態では、情報記憶システム７１０は、コンピュータプログラム、他の命令、又はデータを計算システム７００にロードできるようにする他の同様の構成要素を含み得る。そのような構成要素は、例えば、プログラムカートリッジ及びカートリッジインタフェース、リムーバブルメモリ（例えば、フラッシュメモリ又は他のリムーバブルメモリモジュール）及びメモリスロット、並びに他のリムーバブル記憶ユニット７２２及びソフトウェア及びデータをリムーバブル記憶ユニット７１８から計算システム７００に転送できるようにするインタフェース７２０等のリムーバブル記憶ユニット７２２及びソフトウェア及びインタフェース７２０を含み得る。
【００５２】
計算システム７００は通信インタフェース７２４を含むこともできる。通信インタフェース７２４を使用して、ソフトウェア及びデータを計算システム７００と外部装置との間で転送できるようにすることができる。通信インタフェース７２４の例として、モデム、ネットワークインタフェース（Ethernet（登録商標）又は他のＮＩＣカード等）、通信ポート（例えば、ユニバーサルシリアルバス（ＵＳＢ）ポート等）、ＰＣＭＣＩＡスロット及びカード等を挙げることができる。通信インタフェース７２４を介して転送されるソフトウェア及びデータは、通信インタフェース７２４により受信可能な電子信号、電磁信号、光学信号、又は他の信号であり得る信号の形態である。これらの信号は、チャネル７２８を介して通信インタフェース７２４に提供される。このチャネル７２８は、信号を搬送し得、無線媒体、ワイヤー若しくはケーブル、光ファイバー、又は他の通信媒体を使用して実施し得る。チャネルのいくつかの例として、電話回線、セルラー電話リンク、ＲＦリンク、ネットワークインタフェース、ローカルエリアネットワーク、広域ネットワーク、及び他の通信チャネルが挙げられる。
【００５３】
本文書では、「コンピュータプログラム製品」、「コンピュータ可読媒体」等の用語は一般に、例えば、メモリ７０８、記憶装置７１８、又は記憶ユニット７２２等の媒体を指すために使用し得る。これら及び他の形態のコンピュータ可読媒体は、プロセッサ７０４により使用されて、プロセッサに指定された動作を実行させる１つ又は複数の命令を記憶し得る。一般に「コンピュータプログラムコード」（コンピュータプログラム又は他のグループの形態でグループ化し得る）と呼ばれるそのような命令は、実行された場合、計算システム７００が本発明の実施形態の機能を実行できるようにする。コードが、プロセッサに直接、指定された動作を実行させ、指定された動作を行うようにコンパイルさせ、且つ／又は他のソフトウェア、ハードウェア、及び／又はファームウェア要素（例えば、標準機能を実行するためのライブラリ）と結合させて、指定された動作を行い得ることに留意する。
【００５４】
要素がソフトウェアを使用して実施される実施形態では、ソフトウェアは、コンピュータ可読媒体に記憶し、例えば、リムーバブルストレージドライブ７２２、ドライブ７１２、又は通信インタフェース７２４を使用して計算システム７００にロードし得る。制御ロジック（この例では、ソフトウェア命令又はコンピュータプログラムコード）は、プロセッサ７０４により実行される場合、プロセッサ７０４に、本明細書に記載される本発明の機能を実行させる。
【００５５】
一例では、有形持続性コンピュータプログラム製品が、無線通信システムにおいて、第１の無線ネットワーク要素と第２の無線ネットワーク要素との干渉を低減する実行可能なプログラムコードを含み、実行可能なプログラムコードは、第１の無線ネットワーク要素において実行される場合、第１の無線ネットワーク要素の上りリンクチャネルに関連付けられた下りリンクチャネルで第２の無線ネットワーク要素から下りリンク信号を受信し、第２の無線ネットワーク要素からの下りリンク信号の信号品質レベルを特定し、測定から、第１の無線ネットワーク要素と第２の無線ネットワーク要素との干渉潜在性を特定し、干渉潜在性の特定に応答して、第１の無線ネットワーク要素のネットワークパラメータを適合させるように動作可能である。
【００５６】
明確にするために、上記説明が、異なる機能ユニット及びプロセッサを参照して本発明の実施形態を説明したことが理解されるだろう。しかし、本発明から逸脱せずに、異なる機能ユニット又はプロセッサ間での任意の適する機能分散が理解されるだろう。例えば、別個のプロセッサ又はコントローラにより実行されるものとして説明された機能は、同じプロセッサ又はコントローラにより実行し得る。したがって、特定の機能ユニットへの言及は、厳密な論理的又は物理的な構造又は組織を示すのではなく、説明された機能を提供するのに適した手段の言及としてのみ見られるべきである。
【００５７】
本発明の態様は、ハードウェア、ソフトウェア、ファームウェア、又はこれらの任意の組み合わせを含む任意の適する形態で実施し得る。本発明は任意選択的に、少なくとも部分的に、１つ又は複数のデータプロセッサ及び／又はデジタル信号プロセッサで実行されるコンピュータソフトウェアとして実施し得る。したがって、本発明の実施形態の要素及び構成要素は、任意の適する方法で物理的、機能的、且つ論理的に実施し得る。実際に、機能は、単体、複数のユニット、又は他の機能ユニットの一部として実施し得る。
【００５８】
本明細書に記載の機能ブロック及び／又は論理要素を、通信ユニットのうちの１つ又は複数に組み込まれる集積回路で実施し得ることを当業者は認識するだろう。無線通信システムにおいて第１の無線ネットワーク要素と第２の無線ネットワーク要素との干渉を低減する、第１の無線ネットワーク要素に適する集積回路の一例として、少なくとも１つの信号プロセッサが挙げられる。少なくとも１つの信号プロセッサは、第１の無線ネットワーク要素の上りリンクチャネルに関連付けられた下りリンクチャネルで第２の無線ネットワーク要素から下りリンク信号の信号品質レベルを特定し、測定から、第１の無線ネットワーク要素と第２の無線ネットワーク要素との干渉潜在性を特定し、干渉潜在性の特定に応答して、第１の無線ネットワーク要素のネットワークパラメータを適合させるように構成し得る。
【００５９】
さらに、論理ブロック間の境界が単なる例示であり、代替の実施形態が、論理ブロック若しくは回路要素を統合し得、又は様々な論理ブロック若しくは回路要素に代替の構成の機能を与え得ることが意図される。本明細書に示されるアーキテクチャが単なる例示であり、実際に、同じ機能を達成する多くの他のアーキテクチャを実施可能なことがさらに意図される。例えば、明確にするために、第１のネットワーク要素の信号処理モジュール２９６が、単一の処理モジュールとして示され説明され、その一方で、他の実施態様では、別個の処理モジュール又は論理ブロックを含み得る。
【００６０】
本発明はいくつかの実施形態例と併せて説明されたが、本明細書に記載の特定の形態への限定は意図されない。むしろ、本発明の範囲は、添付の特許請求の範囲によってのみ限定される。さらに、特徴は特定の実施形態と併せて説明されているように見え得るが、記載の実施形態の様々な特徴を本発明により結合し得ることを当業者は認識するだろう。特許請求の範囲では、「含む」という用語は他の要素又はステップの存在を除外しない。
【００６１】
さらに、個々に列挙されるが、複数の手段、要素、又は方法ステップは、例えば、単一のユニット又はプロセッサにより実施し得る。さらに、個々の特徴が異なる請求項に含まれ得るが、これらは恐らく、有利なことには結合し得、異なる請求項への包含は、特徴の結合が実現不可能であり、且つ／又は有利ではないことを暗示しない。あるカテゴリの請求項への特徴の包含も、このカテゴリへの限定を暗示せず、むしろ、特徴が他の請求項カテゴリにも等しく適宜適用可能なことを示す。
【００６２】
さらに、特許請求項内の特徴の順序は、特徴を実行しなければならないいかなる特定の順序も暗示せず、特に、方法請求項内の個々のステップの順序は、ステップをこの順序で実行しなければならないことを暗示しない。むしろ、ステップは任意の適する順序で実行し得る。さらに、単数形の言及は複数を除外しない。したがって、「ａ」、「ａｎ」、「第１の」、「第２の」等は複数を除外しない。
【図１】
2014515575.tif 000003
【図２】
2014515575.tif 000004
【図３】
2014515575.tif 000005
【図４】
2014515575.tif 000006
【図５】
2014515575.tif 000007
【図６】
2014515575.tif 000008
【図７】
2014515575.tif 000009
【国際調査報告】
2014515575.tif 000010
2014515575.tif 000011